(57)【要約】  ムーブメントの周りに配置されたモジュールにより形成される時刻サークルを備える時計。モジュールカバーには、各正時の位置に開口が設けられる。モジュール内側には、２つの端的な位置に装飾が施されたロッカーが設けられる。時計の面の傾斜が変化すると、振動錘が動き、ロッカーを一方の位置から他方の位置へ移動させる。
2011504598.tif 000002
【特許請求の範囲】
【請求項１】
外殻体がケース、ガラス窓及び底部材によって形成された時計であって、
該時計は、カバー（２）とベース（１１）とからなるモジュールを備え、
前記ベースには、２つの所定の装飾部が設けられているレバー（７）、（８）が設けられ、
前記モジュールのカバーには、前記装飾部を現わすことを可能とする開口（５）、（６）が設けられ、
前記レバー（７）、（８）には、前記モジュールの２つの部材（２）、（１１）に形成された軸受けと協働して前記レバー（７）、（８）を回転可能とする軸部（２５）が設けられ、
前記レバー（７、８）には、振動錘（１４）が動いたときに、前記振動錘（１４）と一体のフォーク（２８）と協働して、前記２つの装飾部のうち一方を視認可能な位置（Ａ）から、前記２つの装飾部のうち他方が視認可能な他の位置（Ｂ）へ、またその逆方向へ駆動させるピン（１２）が設けられ、
前記振動錘（１４）は、縦方向に移動可能であるとともに棒状部材（１６）に取り付けられたランナー（１５）が横方向に設けられ、
前記棒状部材（１６）は、前記振動錘（１４）のための横方向のストッパとしての役割を果たす頭部を含み、
前記ランナー（１５）は、前記振動錘（１４）の縦方向の移動の間、トラック（２６）上を転がり、
この移動は、時計の縦方向の面の傾きの変化に起因することを特徴とする時計。
【請求項２】
装飾された所定の部分は、石、シンボル、印又は具象表現による描写であることを特徴とする、請求項１に記載の時計。
【請求項３】
装飾された所定の部分は、一方の位置おいて目の図であり、他方は瞼を図示し得るものであり、
レバー（７、８）の動きは、目が開いたり閉じたりするような錯覚を与えることを特徴とする、請求項１又は２に記載の時計。
【請求項４】
装飾された所定の部分は、透光性であり、レバー（７、８）の内側から適切な手段により照らされることを特徴とする、請求項１又は２のいずれか一項に記載の時計。
【請求項５】
ストッパとしての役割を果たす、前記振動錘（１４）と前記底部材（１７）の内壁との接触は、適切な手段によって音又はノイズを生じさせるために使用されることを特徴とする、請求項１から４のいずれか一項に記載の時計。
【請求項６】
前記振動錘（１４）は摺動により横方向にガイドされることを特徴とする、請求項１から５のいずれか一項に記載の時計。
【発明の詳細な説明】
【技術分野】
【０００１】
本発明は時計に関する。文字盤（ダイアル）は物品に特別な外観をもたらすものである。今まで、文字盤や時刻サークルに、興味を湧かせるような美的で意外な外観を与える、多くの提案がなされている。この目的をもって、ムーブメントの周辺及び下方に配置される機構により形成される可動の時刻サークルが以下に説明される。
【背景技術】
【０００２】
以下の特許は、本発明と同じ方向へ行く提案を開示しているが、同じ手段は使用しておらず、同じ目的を達成するものではない。
【０００３】
スイス国特許第６８４８１４号明細書は、時刻サークル（hour circle）の見栄えを変更可能とする手段を備えた時計を開示している。クラウンと協働し回転するラックが配置されている。時刻の位置には、スタッドが回転自在に設けられ、このスタッドはラックと噛み合う歯車が備え付けられている。これらスタッドに取り付けられた角柱の面は、貴重な石で飾られ、中間又は文字盤に形成された開口を通じて出現するようになっている。
【０００４】
独国特許発明第３３１２９号明細書は、一日の全２４の正時を見ることを可能にした時計の文字盤を開示している。正時の表示が配置される位置において形成された窓は、四つの面を有するボディのうちの一面を示すものであり、軸受により保持される棒状部材が設けられている。面には、１から１２及び１３から２４に対応する正時が刻まれている。このボディを保持する棒状部材は、棒状部材へ連結されて時針を駆動する軸を時計の回転毎に作動させるピンを備える。時針の通路上で、ボディの視認可能な面は、４分の１回転毎に回動し、例えば、１時から１３時へ変化する。
【０００５】
スイス国特許出願公開第６６６３８０号明細書は、可動な装飾要素を備えたウォッチを開示している。ウォッチケースは、時針の軸に沿って自由に回転する、窓を備えた装飾ディスクと、第２の移動可能なディスクとを含む。第２のディスクは、ブリリアントカットの宝石が設置され不均衡を創出する拡大部をその外周に備え、第１の装飾ディスクと同心に沿って回動自在である。ウォッチの文字盤周辺のこれら装飾要素の動作はランダムであり、これは本発明との類似性を構成する。
【０００６】
特開２００３―０８４０７９号公報は、時刻サークルの数字が、所定の時刻で開くドアに刻まれたクロックを開示している。ドアは電気的指令を介し作動するプログラムに従って連続的に開く３つのグループに割り当てられる。ドアの裏には種々の装飾が施されている。逆のシーケンスが３つの各グループのドアを閉じる。
【先行技術文献】
【特許文献】
【０００７】
【特許文献１】スイス国特許第６８４８１４号明細書
【特許文献２】独国特許発明第３３１２９号明細書
【特許文献３】スイス国特許出願公開第６６６３８０号明細書
【特許文献４】特開２００３―０８４０７９号公報
【発明の概要】
【発明が解決しようとする課題】
【０００８】
本発明の目的は、腕の位置にしたがって動き、レバーを回転させる錘の動作に基づいて、時刻サークルを変化させ、美的効果を創出することである。
【課題を解決するための手段】
【０００９】
これらレバーには、石を飾ったりあるいは正時の表示を設けることができる２つの装飾的な面が設けられている。各傾斜ごとに、他方の面が、文字盤に配置された窓に現れる。特許請求の範囲において本発明に従う時計が、より正確に定義される。
【図面の簡単な説明】
【００１０】
【図１】本発明に従う時計の２つの３次元図である。
【図２】本発明に従うモジュールのカバーの輪郭線図である。
【図３】モジュールのカバーの３次元図である。
【図４】モジュールのカバーの輪郭線図である。
【図５】モジュールの基部の、下方からの３次元図である。
【図６】時計全体のＡ−Ａ及びＢ−Ｂ断面図である。
【図７】１０時におけるレバーのＣ−Ｃ断面図である。
【図８】３時におけるレバーのＤ−Ｄ断面図である。
【図９】アセンブリのＥ−Ｅ断面図である。
【図１０】レバーの２つの位置を示す断面図である。
【図１１】長方形の石を備えたレバーの２つの３次元図である。
【図１２】円形の石を備えたレバーの２つの３次元図である。
【発明を実施するための形態】
【００１１】
本発明を一実施形態を用いて示すが、本発明は完全に非限定的に選択されるものであり、以下、図面に基づいて詳細に説明する。
【００１２】
図１は時計を上方及び下方からそれぞれ示したものである。ケース１には、モジュール２を透視させるガラス窓９が設けられている。図２に現れるモジュール２のカバーは、円形５又は長方形６の開口が開けられた文字盤を有する。モジュール２の中央は、ムーブメント用の空間を形成するため取り除かれている。図３の３次元図には、２ピースからなるモジュール、すなわちカバー２がベース１１に取り付けられたものが図示されている。
【００１３】
図４は、モジュールのベース１１の底面図であり、このベース１１には１２個のレバー７及び８が設けられている。この実施態様において、４個のレバーによって長方形の石を支持するようにし、８個のレバーによって円形の石を支持するようにしている。Ａ−Ａ、Ｂ−Ｂ、Ｃ−Ｃ、Ｄ−Ｄ及びＥ−Ｅ断面線が図示され、以下に説明される。図５は、同ピースの３次元図である。ムーブメント２９を配置するための、モジュールの中央に設けられた凹部を明確に視認できる。
【００１４】
図６は時計アセンブリのＡ−Ａ及びＢ−Ｂ断面図である。外殻体は、ケース１、ガラス窓９及び底部材１７を備える。モジュールは、カバー２及びベース１１を備える。このモジュールは、上に石１０、２０が取り付けられたレバー７、８を含む。レバー７、８には、モジュール２を構成する２つの部材に形成された軸受けと協働してそれらのレバーを回転させる軸部２５が設けられている。レバー７、８にはさらに、振動錘１４のフォーク２８と協働するピン１２が設けられており、振動錘１４自体は底部材１７上に配置される。この錘は、縦方向にのみ移動可能である。横方向には、トラック２６上を転がるランナー１５が設けられる。棒状部材１６の頭部は横方向のストッパとしての役割を果たす。ケースを縦方向軸において傾斜させると、錘１７は、底部材のストッパ２７に当接するまで移動する。反対方向に傾けると、正反対の動きをすることになる。振動錘の移動によって、該振動錘１４は、ピン１２、レバー７、８を介して時刻サークルの石の変更を生じさせる。
【００１５】
図７は、アセンブリの１０時の位置におけるＣ−Ｃ断面図である。ここではムーブメント２９を隠すためにのみ役立つ文字盤（ダイアル）２１が配置されている。図８は、アセンブリの、３時の位置におけるＤ−Ｄ断面図である。この位置の特殊性は、チューブ２３及び各レバー７、８内に形成された孔を通じて、クラウンの軸を自由にするための通路にある。この他、例えば３時と４時との間のような２つの時間の間にクラウンを配置することもできる。
【００１６】
図９はアセンブリの６時−１２時断面図である。レバー７は、明確に視認できるフォーク２８を介して錘１４と協働する。図１０は、レバー７の２つの端的な位置を示しており、すなわち、一方又は他方の石１０を交互にひっくり返した状態を示している。なお、各石１０をオリフィス３０につなげる通路（空間）があることに留意されたい。この通路は図示されないダイオードにより石１０、２０の照明を行う場合に光波のガイドとして使用することができる。図１１及び１２は、レバー７、８の３次元図である。
【００１７】
その他の実施形態の中で、レバーの装飾が極めて多様であり得ることが言及されなければならない。石の代わりに、シンボル、印又は図柄としても良い。一実施形態では、一方の位置では目、他方の位置では瞼とし、モジュールのカバーの外面を装飾することで目の形を完成させるものが説明される。従って、レバー７、８を位置変更することで、各目は開いたり閉じたりする。
【００１８】
別の実施形態は、石７、８の照明に関する。バッテリーのエネルギーを節約するためのアイデアは、錘１４が通過するとき接点を開くことにより閃光を放つか、又は制限された数の石のみを照明することである。この他、振動錘の各動作に基づいて音又はノイズを生じるようにすることもできる。
【００１９】
これらの例は、本発明が、驚きと美的効果を達成するための独創力を利用することを示している。
【符号の説明】
【００２０】
１  ケース
２  モジュール、カバー
３  ムーブメントのための区域
４  クラウン
５  円形の開口
６  長方形の開口
７  円形の石のためのレバー
８  長方形の石のためのレバー
９  ガラス窓
１０  円形の石
１１  モジュール、基部
１２  ピン
１３  ガラス窓接合部
１４  振動錘
１５  ランナー
１６  ランナー棒状部材
１７  外枠の底部材
１８  閉塞ネジ
１９  外枠の接合部
２０  長方形の石
２１  文字盤（ダイアル）
２２  ケーシングリング
２３  内部駆動チューブ
２４  時針軸管
２５  レバーの軸部
２６  回転軌道
２７  底部材のストッパ
２８  フォーク
２９  ムーブメント
【図１】
2011504598.tif 000003
【図２】
2011504598.tif 000004
【図３】
2011504598.tif 000005
【図４】
2011504598.tif 000006
【図５】
2011504598.tif 000007
【図６】
2011504598.tif 000008
【図７】
2011504598.tif 000009
【図８】
2011504598.tif 000010
【図９】
2011504598.tif 000011
【図１０】
2011504598.tif 000012
【図１１】
2011504598.tif 000013
【図１２】
2011504598.tif 000014
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
外殻体がケース、ガラス窓及び底部材によって形成された時計であって、
可動の時刻サークルが、支持する腕の位置に従い移動可能な振動錘（１４）の動きに基づいて回転可能なレバー（７、８）を備え、
前記レバーには、ガラス窓を通じて視認可能な文字盤に配置された開口（５、６）内で、各傾斜に基づき交互に現れる２つの装飾部が設けられていることを特徴とする時計。
【請求項２】
前記時計は、カバー（２）とベース（１１）とからなるモジュールを備え、
前記レバー（７、８）は前記モジュール内に回転可能に取り付けられ、
前記開口（５、６）は、前記装飾部を出現可能とするため、前記モジュールのカバー内に形成され、
前記レバー（７、８）には、前記モジュールの２つの部材（２）、（１１）に形成された軸受けと協働して前記レバー（７、８）を回転可能とする軸部（２５）が設けられ、
前記レバー（７、８）には、前記振動錘（１４）が動いたときに、前記振動錘（１４）と一体のフォーク（２８）と協働して、前記２つの装飾部のうち一方を視認可能な位置（Ａ）から、前記２つの装飾部のうち他方が視認可能な他の位置（Ｂ）へ、またその逆方向へ駆動させるピン（１２）が設けられ、
前記振動錘（１４）は、縦方向に移動可能であるとともに棒状部材（１６）に取り付けられたランナー（１５）が横方向に設けられ、
前記棒状部材（１６）は、前記振動錘（１４）のための横方向のストッパとしての役割を果たす頭部を含み、
前記ランナー（１５）は、前記振動錘（１４）の縦方向の移動の間、トラック（２６）上を転がり、  この移動は、時計の縦方向の面の傾きの変化に起因することを特徴とする、請求項１に記載の時計。
【請求項３】
装飾された所定の部分は、石、シンボル、印又は具象表現による描写であることを特徴とする、請求項１又は２に記載の時計。
【請求項４】
装飾された所定の部分は、一方の位置おいて目の図であり、他方は瞼を図示するものであり、
レバー（７、８）の動きは、目が開いたり閉じたりするような錯覚を与えることを特徴とする、請求項１から３のいずれか一項に記載の時計。
【請求項５】
装飾された所定の部分は、透光性であり、レバー（７、８）の内側から適切な手段により照らされることを特徴とする、請求項１から４のいずれか一項に記載の時計。
【請求項６】
ストッパとしての役割を果たす、前記振動錘（１４）と前記底部材（１７）の内壁との接触は、適切な手段によって音又はノイズを生じさせるために使用されることを特徴とする、請求項１から５のいずれか一項に記載の時計。
【請求項７】
前記振動錘（１４）は摺動により横方向にガイドされることを特徴とする、請求項１から６のいずれか一項に記載の時計。
【国際調査報告】
2011504598.tif 000015
2011504598.tif 000016
2011504598.tif 000017
2011504598.tif 000018